(57)【要約】【課題】Ｘ線透視・撮影時に設定された多様なＸ線条件及び保持装置位置条件に合った、血管造影撮影室内の空間線量分布をモニタにリアルタイム表示すること。【解決手段】被曝線量監視システム１０は、Ｘ線条件を所要値ｃに設定するＸ線条件設定器５１と、保持装置位置条件を所要値ｄに設定する保持装置位置条件設定器５２と、空間線量データｆを取得する線量計５３と、この線量計５３を所要座標ｅに設定する線量計位置設定器５４と、所要値ｃ及び所要値ｄにて、複数の所要座標ｅにおける空間線量分布データｇを取得し、所要値ｄ／空間線量分布データｇを記憶する所要値／空間線量分布データメモリ５５と、Ｘ線透視・撮影時に設定された保持装置位置条件の所要値Ｄを所要値ｄ／空間線量分布データｇに参照して空間線量分布データｇを取得し、Ｘ線透視・撮影時に設定されたＸ線条件の所要値Ｃにて補正する空間線量分布データ補正手段５７と、Ｘ線透視・撮影時に補正された補正空間線量分布データＨから作成される空間線量分布を表示するモニタ６１とが設けられた。【選択図】  図１
2005253689.tif 000002
【特許請求の範囲】
【請求項１】
被検体のＸ線透視・撮影を行なうＸ線診断装置において、
Ｘ線条件を所要値に設定するＸ線条件設定器と、
保持装置位置条件を所要値に設定する保持装置位置条件設定器と、
空間線量を測定して空間線量データを取得する線量計と、
前記線量計を所要座標に設定する線量計位置設定器と、
前記Ｘ線条件の所要値及び前記保持装置位置条件の所要値にて、前記線量計から複数の所要座標における空間線量分布データを取得し、前記保持装置位置条件の所要値と前記空間線量分布データを対比して所要値／空間線量分布データとして記憶する所要値／空間線量分布データメモリと、
前記Ｘ線透視・撮影時に設定された保持装置位置条件の所要値を前記所要値／空間線量分布データに参照して前記空間線量分布データを取得し、この空間線量分布データを、前記Ｘ線透視・撮影時に設定されたＸ線条件の所要値にて補正する空間線量分布データ補正手段と、
前記Ｘ線透視・撮影時に補正された補正空間線量分布データから作成される空間線量分布を表示するモニタとが設けられたことを特徴とする被曝線量監視システム。
【請求項２】
放射線診療従事者が受ける被曝線量の閾値データを記憶する閾値データメモリが設けられたことを特徴とする請求項１に記載の被曝線量監視システム。
【請求項３】
放射線診療従事者の位置を検出する放射線診療従事者位置検出手段が設けられたことを特徴とする請求項１に記載の被曝線量監視システム。
【請求項４】
放射線診療従事者が受ける被曝線量の閾値データを記憶する閾値データメモリと、放射線診療従事者の位置を検出する放射線診療従事者位置検出手段とが設けられ、前記閾値データから作成される閾値線より線量が高いエリアに前記放射線診療従事者が侵入した場合、警報を発するスピーカが設けられたことを特徴とする請求項１に記載の被曝線量監視システム。
【請求項５】
Ｘ線防護設備の位置を検出するＸ線防護設備位置検出手段が設けられたことを特徴とする請求項１に記載の被曝線量監視システム。
【請求項６】
被検体のＸ線透視・撮影を行なうＸ線診断方法において、
前記Ｘ線透視・撮影を行なう前に、
Ｘ線条件を所要値に設定するＸ線条件設定工程と、
保持装置位置条件を所要値に設定する保持装置位置条件設定工程と、
空間線量の測定位置を、所要座標に設定する測定位置設定工程と、
前記Ｘ線条件の所要値及び前記保持装置位置条件の所要値にて、前記線量計から複数の所要座標における空間線量分布データを取得し、前記保持装置位置条件の所要値と前記空間線量分布データを対比して所要値／空間線量分布データとして記憶する記憶工程とを有し、
前記Ｘ線透視・撮影時に、
前記Ｘ線透視・撮影時の保持装置位置条件の所要値を前記所要値／空間線量分布データに参照して前記空間線量分布データを取得し、この空間線量分布データを、前記Ｘ線透視・撮影時に設定されたＸ線条件の所要値にて補正する空間線量データ補正工程と、
前記Ｘ線条件にて補正された補正空間線量分布データから作成される空間線量分布を表示する表示工程とを有することを特徴とする被曝線量監視方法。
【請求項７】
前記Ｘ線透視・撮影を行なう前に、放射線診療従事者が受ける被曝線量の閾値データを記憶して、この閾値データから作成される閾値線を、前記空間線量分布に重畳表示することを特徴とする請求項６に記載の被曝線量監視方法。
【請求項８】
前記Ｘ線透視・撮影時に、放射線診療従事者の現在位置を検出して、放射線診療従事者の像を、前記空間線量分布に重畳表示することを特徴とする請求項６に記載の被曝線量監視方法。
【請求項９】
前記Ｘ線透視・撮影を行なう前に放射線診療従事者が受ける被曝線量の閾値データを記憶してこの閾値データから作成される閾値線を前記空間線量分布に重畳表示し、前記Ｘ線透視・撮影時に放射線診療従事者の現在位置を検出して放射線診療従事者の像を前記空間線量分布に重畳表示し、前記放射線診療従事者の像が閾値線より高い線量のエリアに侵入した時、警告を発することを特徴とする請求項６に記載の被曝線量監視方法。
【請求項１０】
前記放射線診療従事者の像が閾値線より高い線量のエリアに侵入した時、メッセージを表示することを特徴とする請求項９に記載の被曝線量監視方法。
【請求項１１】
前記放射線診療従事者の像が閾値線より高い空間のエリアに侵入した時、警報を鳴らすことを特徴とする請求項９に記載の被曝線量監視方法。
【請求項１２】
前記警告が発された場合、Ｘ線防護設備の位置を自動検出して、前記Ｘ線防護設備が所要位置に設置された時、前記警告を解除することを特徴とする請求項９に記載の被曝線量監視方法。
【発明の詳細な説明】
【技術分野】
【０００１】
本発明は、放射線量を推定するＸ線システム全般に関するもので、空中線量分布のリアルタイム表示に使用される被曝線量監視システム及びその監視方法に関する。
【背景技術】
【０００２】
近年、Ｘ線診断装置やＣＴ（Computerized Tomography）装置等のＸ線装置による検査が普及している。放射線治療に伴う放射線診療従事者（医師及び診療放射線技師等）の被曝は職業被曝であり、被曝線量（線量率）を線量限度以下で可能な限り低いレベルに保つため、適正な放射線保護を行なう必要がある。
【０００３】
Ｘ線透視下におけるカテーテル術であるＩＶＲ（Interventional Radiology）を行なう血管造影撮影室内は、常時人が立ち入る区域と規定される。その遮蔽基準は、医療法施行規則により、（１）血管造影撮影室の隔壁の外側で実効線量が１週間につき１ｍＳｖ（ミリシーベルト）以下、（２）管理区域に係る外部放射線の実効線量は、３月間につき１．３ｍＳｖ以下、（３）院内又は所内の病室に収容されている患者が居住する区域の実効線量は、３月間につき１．３ｍＳｖ以下、（４）院内又は所内の人が居住する敷地境界の実効線量は、３月間につき２５０μＳｖ以下、と規定されている。透視・撮影中の血管造影撮影室内はＸ線照射中であり、放射線の場、空間線量が存在する。その放射線レベルは場所によって異なる。
【０００４】
従来のＸ線診断装置におけるＩＶＲでは、放射線診療従事者が意図する任意の方向でＸ線透視・撮影を行なう。そのため、血管造影撮影室内の空間線量分布はＸ線管とＩ．Ｉ．（Image Intensifier）の位置に特有な分布を呈する。例えば、Ｘ線管がテーブルの上方に位置するオーバーチューブの場合では、放射線診療従事者の上半身で放射線レベルが高くなる。
【０００５】
一方、Ｘ線管がテーブルの下方に位置するアンダーチューブの場合では、放射線診療従事者の下半身で放射線レベルが高くなる。また、大きなＸ線照射野は、小さなＸ線照射野よりも放射線診療従事者の位置の放射線レベルが高い。
【０００６】
図５は、Ｘ線診断装置の取扱説明書に添付される血管造影撮影室内の空中線量分布を示す図面の一例である。
【０００７】
図５に示された空中線量分布の図面は、血管造影撮影室内の床から１０００ｍｍの高さの断面を上方から見た空中線量分布の実測値を１μＧｙ・ｍ２の面積線量で正規化したものであり、血管造影撮影室内のＸ線管を中心として、血管造影撮影室内の空中線量分布が示される。
【０００８】
図５に示された空中線量分布の図面は、一般的には、代表的なＸ線条件及び保持装置位置条件によって、代表的な断面の空中線量分布として、Ｘ線診断装置のユーザに配布される。
【特許文献１】特開２０００−１５２９２４号公報（第５頁−第６頁、図３，４，５）
【発明の開示】
【発明が解決しようとする課題】
【０００９】
しかしながら、図５に示された空中線量分布の実測結果を、放射線診療従事者を含むスタッフ全員に周知徹底させておくことが必要となる。
【００１０】
さらに、実際の臨床の場では、多様なＸ線条件及び保持装置位置条件によって診療が行なわれるため、代表的なＸ線条件及び保持装置位置条件によって、代表的な断面の空中線量分布の図面では空中線量分布を正確に、精度よく認識することはできない。
【００１１】
加えて、診療中に、Ｘ線条件及び保持装置位置条件を変更することもあり、変更されたＸ線条件及び保持装置位置条件にリアルタイムに追従して、空中線量分布をリアルタイム表示するシステムがなかった。
【００１２】
また、実際の臨床の場では、空中線量分布のリアルタイム表示だけでは、放射線診療従事者の放射線被曝意識を向上させ、被曝低減につなげることが困難である。
【００１３】
本発明は、上述した事情を考慮してなされたもので、Ｘ線透視・撮影時に設定された多様なＸ線条件及び保持装置位置条件に合った、血管造影撮影室内の空間線量分布をモニタにリアルタイム表示できる被曝線量監視システム及びその監視方法を提供することを目的とする。
【００１４】
また、本発明の第２の目的は、Ｘ線透視・撮影時に血管造影撮影室内の空間線量分布と併せて閾値線をモニタにリアルタイム表示できる被曝線量監視システム及びその監視方法を提供することにある。
【００１５】
さらに、本発明の第３の目的は、Ｘ線透視・撮影時に血管造影撮影室内の空間線量分布と併せて放射線診療従事者の像をモニタにリアルタイム表示できる被曝線量監視システム及びその監視方法を提供することにある。
【００１６】
加えて、本発明の第４の目的は、Ｘ線透視・撮影時に閾値線より線量の高いエリアに放射線診療従事者が位置した時警告を行なうことで、防護手段が必要であることを放射線診療従事者に瞬時に知らせることができる被曝線量監視システム及びその監視方法を提供することにある。
【課題を解決するための手段】
【００１７】
本発明に係る被曝線量監視システムは、上述した課題を解決するために、被検体のＸ線透視・撮影を行なうＸ線診断装置において、Ｘ線条件を所要値に設定するＸ線条件設定器と、保持装置位置条件を所要値に設定する保持装置位置条件設定器と、空間線量を測定して空間線量データを取得する線量計と、前記線量計を所要座標に設定する線量計位置設定器と、前記Ｘ線条件の所要値及び前記保持装置位置条件の所要値にて、前記線量計から複数の所要座標における空間線量分布データを取得し、前記保持装置位置条件の所要値と前記空間線量分布データを対比して所要値／空間線量分布データとして記憶する所要値／空間線量分布データメモリと、前記Ｘ線透視・撮影時に設定された保持装置位置条件の所要値を前記所要値／空間線量分布データに参照して前記空間線量分布データを取得し、この空間線量分布データを、前記Ｘ線透視・撮影時に設定されたＸ線条件の所要値にて補正する空間線量分布データ補正手段と、前記Ｘ線透視・撮影時に補正された補正空間線量分布データから作成される空間線量分布を表示するモニタとが設けられた。
【００１８】
また、本発明に係る被曝線量監視方法は、上述した課題を解決するために、被検体のＸ線透視・撮影を行なうＸ線診断方法において、前記Ｘ線透視・撮影を行なう前に、Ｘ線条件を所要値に設定するＸ線条件設定工程と、保持装置位置条件を所要値に設定する保持装置位置条件設定工程と、空間線量の測定位置を、所要座標に設定する測定位置設定工程と、前記Ｘ線条件の所要値及び前記保持装置位置条件の所要値にて、前記線量計から複数の所要座標における空間線量分布データを取得し、前記保持装置位置条件の所要値と前記空間線量分布データを対比して所要値／空間線量分布データとして記憶する記憶工程とを有し、前記Ｘ線透視・撮影時に、前記Ｘ線透視・撮影時の保持装置位置条件の所要値を前記所要値／空間線量分布データに参照して前記空間線量分布データを取得し、この空間線量分布データを、前記Ｘ線透視・撮影時に設定されたＸ線条件の所要値にて補正する空間線量データ補正工程と、前記Ｘ線条件にて補正された補正空間線量分布データから作成される空間線量分布を表示する表示工程とを有する。
【発明の効果】
【００１９】
本発明によると、Ｘ線透視・撮影時に設定された多様なＸ線条件及び保持装置位置条件に合った、血管造影撮影室内の空間線量分布をモニタにリアルタイム表示できる。
【００２０】
また、本発明によると、Ｘ線透視・撮影時に血管造影撮影室内の空間線量分布と併せて閾値線をモニタにリアルタイム表示できる。
【００２１】
さらに、本発明によると、Ｘ線透視・撮影時に血管造影撮影室内の空間線量分布と併せて放射線診療従事者の像をモニタにリアルタイム表示できる。
【００２２】
加えて、本発明によると、Ｘ線透視・撮影時に閾値線より線量の高いエリアに放射線診療従事者が位置した時警告を行なうことで、防護手段が必要であることを放射線診療従事者に瞬時に知らせることができる。
【発明を実施するための最良の形態】
【００２３】
以下、本発明に係る被曝線量監視システム及びその監視方法の実施の形態について、添付図面を参照して説明する。
【００２４】
図１は、本発明に係る被曝線量監視システム１０を示す概略図である。
【００２５】
図１は、被曝線量監視システム１０と、被検体（患者）のＸ線透視・撮影を行なう一般的なＸ線装置、例えばＸ線診断装置１１を示し、このＸ線診断装置１１は、Ｘ線管が寝台天板の下方に位置するアンダーテーブルの場合を示している。なお、被曝線量監視システム１０は、Ｘ線管が寝台天板の上方に位置するオーバーテーブルの場合でもよい。
【００２６】
Ｘ線診断装置１１には、大きくは、保持装置１２及び本体制御装置１３が備えられる。一般的には、保持装置１２は、実際に被検体が入室してＸ線透視・撮影を受ける血管造影撮影室１５に設置される一方、本体制御装置１３は、機械室又は操作室等に設置されるものである。なお、血管造影撮影室１５に近接操作卓が設置される。操作室に遠隔操作卓が設置される場合もある。
【００２７】
図２は、Ｘ線診断装置１１の斜視図を示す概略図であり、図２のｘ、ｙ及びｚ軸は、図１のｘ、ｙ及びｚ軸に対応するものとする。
【００２８】
図２に示されたＸ線診断装置１１の保持装置１２には、床に対して固定された保持装置本体２１と、回動方向（ＬＡＯ／ＲＡＯ：図中Ａ方向）及び円弧方向（ＣＲＡ／ＣＡＵ：図中Ｂ方向）を自在とするＣアーム２５とが設けられる。このＣアーム２５の一方の端部には、放射線源としてのＸ線管３１が、Ｃアーム２５のもう一方の端部には寝台天板３２を挟むようにＸ線管３１と対抗する位置に透過Ｘ線を入射させＴＶ映像信号を出力するＸ線ＴＶ装置３３が設けられる。
【００２９】
また、Ｘ線診断装置１１には、Ｘ線透視・撮影像を表示するＸ線透視・撮影用モニタ３４が、天井レールに走行可能に設けられる。
【００３０】
Ｃアーム２５の一方の端部に設けられるＸ線管３１は、図１に示されるように、本体制御装置１３から高電圧電力の供給を受けて、この高電圧電力の条件に応じてＸ線を曝射するようになっている。Ｘ線管３１の出射側には、シリコンゴム等で形成されハレーションを防止するために所定量の照射Ｘ線を減衰させる補償フィルタ４１と、出射Ｘ線を絞って不要部位へのＸ線照射を防ぐ、複数枚の鉛羽で構成されＸ線照射野絞り４２とが設けられる。
【００３１】
また、Ｃアーム１８のもう一方の端部に設けられるＸ線ＴＶ装置３３には、透過Ｘ線を入射させるＩ．Ｉ．（Image Intensifier）４６が設置され、このＩ．Ｉ．４６の寝台天板３２側には被検体を透過したＸ線の散乱光をカットするＸ線グリッド４７が、Ｉ．Ｉ．４６の出力側には変換された光学像を適切な大きさに補正する光学系４８と補正された光学像をＴＶ映像信号に変換するＴＶカメラ（又は撮影素子）４９とが具備される。Ｉ．Ｉ．４６は、図示しない入力蛍光面、光電陰極、収束（フォーカス）電極、陽極及び出力蛍光面で構成される大形の真空管、入力窓並びに高圧電源等からなり、ＴＶカメラ４９のＴＶ映像信号は、本体制御装置１３に送られるようになっている。なお、Ｉ．Ｉ．４６からＴＶカメラ４９までの映像系は、平面検出器に置き換えられてもよい。
【００３２】
本体制御装置１３では、Ｘ線管３１、Ｘ線照射野絞り４２、寝台天板３２及びＩ．Ｉ．４６等の制御を行なうことができ、被検体の所要部位の透視・撮影像を、図２に示されたＸ線透視・撮影用モニタ３４に表示させたり、画像に対し拡大／階調／空間フィルタ処理、及びノイズを除去するための加算処理等を行なったりすることができる。
【００３３】
一方、図１に示された被曝線量監視システム１０には、保持装置１２周辺に位置して被検体の放射線診療を行なう放射線診療従事者（医師及び診療放射線技師等）が受ける被曝線量の閾値データが記憶される閾値データメモリ５０と、Ｘ線管３１に送信されるＸ線条件、例えば管電圧（ｋＶ）、管電流（ｍＡ）及びＸ線照射時間（ｍｓｅｃ．）並びにＸ線照射野絞り４２の鉛羽の開口度、を所要値ｃに設定するＸ線条件設定器５１と、保持装置１２の保持装置位置条件、例えばＣアーム２５のＬＡＯ／ＲＡＯ（図２中Ａ方向）及びＣＲＡ／ＣＡＵ（図２中Ｂ方向）、並びにＳＩＤ（Source-Image Distance：図２中Ｃ方向）、を所要値ｄに設定する保持装置位置条件設定器５２と、血管造影撮影室１５内の空間で所要座標（ｘ，ｙ，ｚ）ｅの空間線量を測定する線量計５３と、この線量計５３の位置条件を所要座標ｅに設定する線量計位置設定器５４と、Ｘ線条件の所要値ｃ及び保持装置位置条件の所要値ｄにて、複数の所要座標ｅにおける空間線量分布データｇを取得して、保持装置位置条件の所要値ｄと空間線量分布データｇとを対比させた所要値ｄ／空間線量分布データｇとして記憶する所要値／空間線量分布データメモリ５５とが設けられ、それぞれＸ線診断装置１１を用いた一般的なＸ線透視・撮影が行なわれる前に動作する。
【００３４】
なお、線量計位置設定器５４によって設定された所要座標ｅを入力し、この所要座標ｅに線量計５３が配置されるように血管造影撮影室１５内を可動する可動手段を設けてもよく、その場合、線量計５３は、可動手段に一体に支持される。また、線量計５３を手動で所要座標ｅに配置させ、空間線量分布データｇを取得するように構成してもよい。
【００３５】
また、Ｘ線条件設定器５１及び保持装置位置条件設定器５２は、Ｘ線診断装置１１を用いた一般的なＸ線・透視撮影時に、Ｘ線条件の所要値Ｃ及び保持装置位置条件の所要値Ｄをそれぞれ設定することができる。さらに、所要値／空間線量分布データメモリ５５は、Ｘ線透視・撮影時に、Ｘ線透視・撮影時の保持装置位置条件の所要値Ｄを、Ｘ線透視・撮影の前に記憶された所要値ｄ／空間線量分布データｇに参照して、所要値Ｄに相当する空間線量分布データｇを抽出することができる。
【００３６】
加えて、被曝線量監視システム１０には、所要値／空間線量分布データメモリ５５からの空間線量分布データｇを、Ｘ線条件の所要値ｃと所要値Ｃとの差異を補正係数にて補正する空間線量分布データ補正手段５７と、放射線診療従事者の位置を検出する放射線診療従事者位置検出手段５８と、閾値データメモリ５０から閾値データｂを、空間線量分布データ補正手段５７から補正空間線量分布データＨを、放射線診療従事者位置検出手段５８から放射線診療従事者位置をそれぞれ読み込むコントローラ６０と、コントローラ６０から出力された空間線量分布に、閾値線及び放射線診療従事者位置の像を重畳表示できるモニタ６１と、警報を鳴らすスピーカ６２とが設けられ、それぞれＸ線診断装置１１を用いたＸ線透視・撮影時に動作する。
【００３７】
次いで、被曝線量監視システム１０における被曝線量監視方法について、図３に示されたフローチャートを用いて説明する。
【００３８】
Ｘ線診断装置１１を用いた一般的なＸ線透視・撮影が行なわれる前に、線量分布を実測する。
【００３９】
まず、図１に示された被曝線量監視システム１０に設ける閾値データメモリ５０に、放射線診療従事者によって定められた適切な被曝線量の閾値である閾値データｂが記憶される（ステップＳ１）。
【００４０】
次いで、被曝線量監視システム１０に設けるＸ線条件設定器５１では、Ｘ線条件、例えばＸ線管３１にて出力される管電圧、管電流及びＸ線照射時間並びにＸ線照射野絞り４２の開口度、が所要値ｃに設定される（ステップＳ２）。さらに、保持装置位置条件設定器５２では、保持装置位置条件、例えばＣアーム２５のＬＡＯ／ＲＡＯ（図２中Ａ方向）及びＣＲＡ／ＣＡＵ（図２中Ｂ方向）、並びにＳＩＤ（図２中Ｃ方向）、が所要値ｄに設定される（ステップＳ３）。また、線量計位置設定器５４では、血管造影撮影室１５内の空間であって、線量計５３によって測定しようとする所要座標（ｘ，ｙ，ｚ）ｅが設定される（ステップＳ４）。
【００４１】
Ｘ線条件設定器５１及び保持装置位置条件設定器５２にて設定された所要値ｃ，ｄが本体制御装置１３に送られる。この本体制御装置１３にて保持装置１２を制御することによって、保持装置１２が、Ｘ線条件及び保持装置位置条件の所要値ｃ，ｄにセットされて、Ｘ線管３１からＸ線が曝射される。また、ステップＳ４にて線量計位置設定器５４で設定された血管造影撮影室１５内の所要座標ｅに線量計５３を走査させて配置させ、所要座標ｅの空間線量データｆが取得される（ステップＳ６）。この空間線量データｆは、所要値／空間線量分布データメモリ５５に送られる。
【００４２】
さらに、Ｘ線条件設定器５１及び保持装置位置条件設定器５２の所要値ｃ，ｄを固定して、線量計位置設定器５４の所要座標ｅを変化させ、線量計５３の所要座標ｅを走査させる。線量計５３の複数の所要座標ｅにおける複数の空間線量データｆが所要値／空間線量分布データメモリ５５に送られる。そして、保持装置位置条件の固定された所要値ｄにおける、複数の所要座標ｅの空間線量データｆ、すなわち、固定された所要値ｄにおける、血管造影撮影室１５内の空間線量分布データｇが得られ、所要値ｄと空間線量分布データｇとが対比された所要値ｄ／空間線量分布データｇとして所要値／空間線量分布データメモリ５５に記憶される（ステップＳ７）。
【００４３】
ここで、保持装置位置条件の固定された所要値ｄにおける空間線量分布データｇの記憶が、所要座標ｅ全てについて行なわれたか否かが判断される（ステップＳ８）。ステップＳ８の判断にてＹｅｓ、すなわち、保持装置位置条件の固定された所要値ｄにおける空間線量分布データｇの記憶が、所要の所要座標ｅ全てについて行なわれた場合、空間線量分布データｇの記憶が、保持装置位置条件の所要値ｄ全てについて行なわれたか否かが判断される（ステップＳ９）。ステップＳ９の判断にてＹｅｓ、すなわち、空間線量分布データｇの記憶が、保持装置位置条件の所要値ｄ全てについて行なわれた場合、Ｘ線透視・撮影の準備が完了する（ステップＳ１０）。
【００４４】
一方、ステップＳ８の判断にてＮｏ、すなわち、保持装置位置条件の固定された所要値ｄにおける空間線量分布データｇの記憶が、所要座標ｅ全てについて行なわれていない場合、Ｘ線条件の所要値ｃ及び保持装置位置条件の所要値ｄを固定したまま、所要座標ｅが変更されて設定される（ステップＳ４）。
【００４５】
また、ステップＳ９の判断にてＮｏ、すなわち、空間線量分布データｇの記憶が、保持装置位置条件の所要値ｄ全てについて行なわれていない場合、Ｘ線条件の所要値ｃを固定したまま、保持装置位置条件の所要値ｄが変更されて設定される（ステップＳ３）。
【００４６】
続いて、被曝線量監視システム１０を用いて、被検体の一般的なＸ線透視・撮影が行なわれる。
【００４７】
まず、被曝線量監視システム１０に設けるＸ線条件設定器５１にて、Ｘ線透視・撮影時のＸ線条件が所要値Ｃに設定される（ステップＳ１１）。さらに、保持装置位置条件設定器５２にて、Ｘ線透視・撮影時の保持装置位置条件の所要値Ｄが設定される（ステップＳ１２）。Ｘ線条件設定器５１にて設定された所要値Ｃは、空間線量分布データ補正手段５７に出力される。
【００４８】
また、保持装置位置条件設定器５２にて設定された所要値Ｄは所要値／空間線量分布データメモリ５５に送られる。所要値／空間線量分布データメモリ５５では、Ｘ線透視・撮影時の保持装置位置条件の所要値Ｄが、所要値／空間線量分布データメモリ５５に記憶された所要値ｄ／空間線量分布データｇに参照され、所要値Ｄに相当する所要値ｄが抽出される（ステップＳ１３）。抽出された所要値ｄと対比されている空間線量分布データｇが空間線量分布データ補正手段５７に出力される。
【００４９】
空間線量分布データ補正手段５７では、Ｘ線条件設定器５１からの所要値Ｃを基に、所要値／空間線量分布データメモリ５５からの空間線量分布データｇの補正が行なわれる（ステップＳ１４）。空間線量分布データｇは、単一のＸ線条件の所要値ｃにて得られるものであるので、実際のＸ線透視・撮影時のＸ線条件の所要値Ｃと異なる場合がある。よって、ステップＳ１４では、Ｘ線透視・撮影時のＸ線条件の所要値Ｃを、Ｘ線透視・撮影前のＸ線条件の所要値ｃに近づけるための補正を行なう。
【００５０】
コントローラ６０は、ステップＳ１４にて補正された補正空間線量分布データＨを読み込む。コントローラ６０は、血管造影撮影室１５内の空間、例えば床から１０００ｍｍの高さのｘ−ｙ断面、の線量分布を補正空間線量分布データＨから作成し、補正された線量分布をモニタ６１の画面上に表示させる（ステップＳ１５）。血管造影撮影室１５内の空間線量分布は、床から１０００ｍｍの高さの線量分布に限定されない。またｙ−ｚ断面及びｘ−ｚ断面の線量分布でもよいし、また、３次元の空間線量分布を作成してもよい。
【００５１】
また、コントローラ６０は、ステップＳ１にて閾値データメモリ５０に記憶された閾値データｂを読み込み、モニタ６１の画面上に表示されたｘ−ｙ断面の線量分布に、閾値データｂから作成される閾値線を重畳表示させる（ステップＳ１６）。
【００５２】
さらに、コントローラ６０は、放射線診療従事者位置検出手段５８に、放射線診療を行なう放射線診療従事者（医師及び診療放射線技師等）の位置の検出を行なわせる。例えばコントローラ６０は、赤外線サーモグラフィによって放射線診療従事者の位置を検出させ、モニタ６１の画面上に表示されたｘ−ｙ断面の線量分布に、放射線診療従事者の像をリアルタイムに重畳表示させる（ステップＳ１７）。
【００５３】
放射線診療従事者は、図２に示された透視・撮影用のモニタ３４の画面を見ながら被検体の診療を行なうと共に、モニタ６１の、ｘ−ｙ断面の線量分布に閾値線及び放射線診療従事者の像が重畳表示された画面（以下、「監視画面」という。）を見ながら線量分布、線量の高いエリア及び放射線診療従事者自身の現在位置を確認することができる。
【００５４】
図４は、モニタ６１に表示される監視画面の一例である。
【００５５】
図４は、一般的な、床から１０００ｍｍの高さのｘ−ｙ断面の正規化された線量分布に、ステップＳ１６による閾値線、例えば０．００４μＧｙ／（μＧｙ・ｍ２）と、閾値線０．００４μＧｙ／（μＧｙ・ｍ２）より高い線量のエリアＬと、ステップＳ１７による放射線診療従事者の像Ｍとを重畳表示させ、モニタ６１の画面上に表示させるものである。なお、Ｘ線診断装置１１、線量分布、閾値線、エリアＬ及び放射線診療従事者の像Ｍは、識別しやすくカラー表示することもできる。また、線量分布の濃度レベル毎に、グレースケールやカラースケールで濃淡表示させてもよい。
【００５６】
ここで、図１に示されたコントローラ６０によって画像処理が行なわれ、閾値線より線量が高いエリアに放射線診療従事者の像が侵入したか否かが判断される（ステップＳ１８）。ステップＳ１８の判断にてＹｅｓ、すなわち、閾値線より線量が高いエリアに放射線診療従事者の像が侵入しない場合、閾値以上の線量の位置に放射線診療従事者が存在しないとして、Ｘ線透視・診断の終了まで、ステップＳ１８が繰り返される。
【００５７】
一方、ステップＳ１８の判断にてＮｏ、すなわち、閾値線より線量が高いエリアに放射線診療従事者の像が侵入した場合、Ｘ線防護手段、例えばＸ線防護衣、Ｘ線防護エプロン及びＸ線防護メガネの装着並びにＸ線防護設備の設置、が必要であることを知らせる警告が発せられる（ステップＳ１９）。例えば警告は、モニタ６１の画面上にメッセージを表示させたり、スピーカ６２から警報を鳴らしたりすることで行なわれる。よって、放射線診療従事者は、Ｘ線透視・診断時、モニタ６１の画面上に表示されるメッセージや、スピーカ６２から鳴る警報から、放射線診療従事者自身が線量の高いエリアにいるか否かをリアルタイムに認識することができる。
【００５８】
なお、閾値線より線量が高いエリアに放射線診療従事者の像が侵入した場合、Ｘ線の曝者を自動停止させるようにしてもよい。
【００５９】
また、ステップＳ１９にて一旦警告が発せられると、放射線診療従事者は、Ｘ線防護衣、Ｘ線防護エプロン及びＸ線防護メガネの装着並びにＸ線防護設備の設置を行なう。コントローラ６０は、放射線診療従事者が警告の解除行為を行なったか否かを判断する（ステップＳ２０）。ステップＳ２０の判断にてＹｅｓ、すなわち、放射線診療従事者が警告の解除行為を行なった場合、解除行為時に警告が解除され、ステップＳ１５にて表示されたｘ−ｙ断面の線量分布がモニタ６１の画面上に表示される。（ステップＳ２１）。警告の解除後は、Ｘ線防護手段が用いられているので、閾値線より線量が高いエリアに放射線診療従事者の像が侵入しても、警告は発されないものとする。
【００６０】
また、図３に示されたフローチャートのステップＳ１１〜Ｓ２１のＸ線透視・撮影の途中であっても、Ｘ線条件及び保持装置位置条件が変更される場合がある。その場合、Ｘ線条件及び保持装置位置条件が変更される毎に、ステップＳ１１に戻って、空間線量分布の再表示が行なわれる。
【００６１】
なお、Ｘ線防護手段のうち、天井吊りされたＸ線防護設備が、放射線診療従事者を防護する所要位置に設置されたことを自動検出することで、ステップＳ２０の放射線診療従事者による警告の解除行為を省略することができる。天井吊りされたＸ線防護設備は、複数のアーム部と、その複数のアーム部を角度自在に連結する関節部と、アーム部末端に備えるＸ線防護部とからなるクランク構造をしており、アーム部どうしの連結角度を検出することで、Ｘ線防護部の位置を自動検出することができる。
【００６２】
本発明では、被曝線量監視システム１０は、Ｘ線装置としてのＸ線診断装置１１に適用する例を示しているが、放射線を用いるＣＴ（Computerized Tomography）装置に適用することもできる。
【００６３】
被曝線量監視システム１０及び被曝線量監視方法によると、Ｘ線透視・撮影前に設定されたＸ線条件及び保持装置位置条件にて血管造影撮影室１５内の空間線量分布を測定することで、Ｘ線透視・撮影時に設定された多様なＸ線条件及び保持装置位置条件に合った、血管造影撮影室１５内の空間線量分布をモニタ６１にリアルタイム表示できる。
【００６４】
また、被曝線量監視システム１０及び被曝線量監視方法によると、Ｘ線透視・撮影前に閾値データメモリ５０に閾値データを記憶させることで、Ｘ線透視・撮影時に血管造影撮影室１５内の空間線量分布と併せて閾値線をモニタ６１にリアルタイム表示できる。
【００６５】
さらに、被曝線量監視システム１０及び被曝線量監視方法によると、Ｘ線透視・撮影時に血管造影撮影室１５内の空間線量分布と併せて放射線診療従事者の像をモニタ６１にリアルタイム表示できる。
【００６６】
加えて、被曝線量監視システム１０及び被曝線量監視方法によると、Ｘ線透視・撮影時に閾値線より線量の高いエリアに放射線診療従事者が侵入した時警告を行なうことで、防護手段が必要であることを放射線診療従事者に瞬時に知らせることができる。
【図面の簡単な説明】
【００６７】
【図１】本発明に係る被曝線量監視システムを示す概略図。
【図２】Ｘ診断装置の斜視図を示す概略図。
【図３】本発明に係る被曝線量監視方法を示すフローチャート。
【図４】モニタに表示される監視画面の一例。
【図５】血管造影撮影室内の空中線量分布示す図面の一例。
【符号の説明】
【００６８】
１０  被曝線量監視システム
１１  Ｘ線診断装置
５０  閾値データメモリ
５１  Ｘ線条件設定器
５２  保持装置位置条件設定器
５３  線量計
５４  線量計位置設定器
５５  所要値／空間線量分布データメモリ
５７  空間線量分布データ補正手段
５８  放射線診療従事者検出手段
６１  モニタ
６２  スピーカ
【図１】
2005253689.tif 000003
【図２】
2005253689.tif 000004
【図３】
2005253689.tif 000005
【図４】
2005253689.tif 000006
【図５】
2005253689.tif 000007